(57)【要約】【課題】２４時間換気運転してもエネルギーロスを低減することができることを目的とする。【解決手段】レンジフードにおいて、フード１の室内１７側の表面８に照度検知手段１３を設け、室内１７の明るさに連動して換気風量を制御するという構成にしたことにより、照度検知手段１３により、室内１７の明るさを検知し、室内１７が暗くなったことを検知したときは常時換気風量を通常より下げ、室内１７が明るくなったときは常時換気風量を通常の風量へ戻すこととなり、２４時間換気運転してもエネルギーロスを低減することができるレンジフードを得られる。【選択図】図１
2017180851.tif 000002
【特許請求の範囲】
【請求項１】
レンジフードにおいて、フードの室内側の表面に照度検知手段を設け、室内の明るさに連動して換気風量を制御することを特徴とするレンジフード。
【請求項２】
レンジフードにおいて、照明部を設けたフードに照度検知手段を設け、室内の明るさに連動して照明部の照度を制御することを特徴とするレンジフード。
【発明の詳細な説明】
【技術分野】
【０００１】
本発明は、２４時間換気運転の機能を備えたレンジフードに関するものである。
【背景技術】
【０００２】
従来、この種のレンジフードは、調理器具の前に人間が存在する時はレンジフードに備えている照明器具が点灯する。調理器具の前に人間が存在しないときは、レンジフードに備えている照明器具が消灯するものが知られている（例えば、特許文献１参照）。
【０００３】
以下、そのレンジフードについて、図２を参照しながら説明する。
【０００４】
図２に示すように、下面が開口したフード１０１の内部に、送風機ユニット１０４が収容されている。下方には、ガスコンロ等の調理器具Ｂを照らす照明器具１０９が装備され、フード１０１に調理器具Ｂの前に立つ人間の存在を検知する人感センサー１１１を設ける。人感センサー１１１が、人の存在を一定時間連続して検知した場合は、照明器具１０９を点灯させる。人感センサー１１１が、人の存在を一定時間連続して検知しなくなった場合は、照明器具１０９を消灯させる。
【先行技術文献】
【特許文献】
【０００５】
【特許文献１】特開平９−３１８１２５号公報
【発明の概要】
【発明が解決しようとする課題】
【０００６】
このような従来のレンジフードにおいては、近年、２４時間換気運転の機能が備えていることが一般的であり、汚れた空気や臭いを２４時間運転し換気する目的で使用されているが、人が存在しない留守中や人が就寝している夜などにも換気運転し、過剰に換気してエネルギーロスになっている、という課題を有していた。
【０００７】
そこで本発明は、上記従来の課題を解決するものであり、２４時間換気運転してもエネルギーロスを低減することができるレンジフードを提供することを目的とする。
【課題を解決するための手段】
【０００８】
そして、この目的を達成するために、本発明は、レンジフードにおいて、フードの室内に接する表面に照度検知手段を設け、室内の明るさに連動して換気風量を制御することとしたものであり、これにより所期の目的を達成するものである。
【発明の効果】
【０００９】
本発明によれば、レンジフードにおいて、フードの室内側の表面に照度検知手段を設け、室内の明るさに連動して換気風量を制御する、という構成にしたことにより、照度検知手段により、室内の明るさを検知し、室内が暗くなったことを検知したときは、２４時間換気運転の風量を通常より下げ、室内が明るくなったときは、２４時間換気運転の風量を通常の風量へ戻す、こととなるので、２４時間換気運転してもエネルギーロスを低減することができる、という効果を得ることができる。
【００１０】
また、レンジフードにおいて、照明部を設けたフードに照度検知手段を設け、室内の明るさに連動して照明部の照度を制御する、という構成にしたことにより、照度検知手段により、室内の明るさを検知し、室内が暗くなったことを検知したときは照明部の光度を下げ、室内が明るくなったときは照明部の光度を通常状態に戻すこととなるので、２４時間換気運転してもエネルギーロスを低減することができる、という効果を得ることができる。
【図面の簡単な説明】
【００１１】
【図１】本発明の実施の形態１のレンジフードを示す側方構成図
【図２】従来のレンジフードを示す側方構成図
【発明を実施するための形態】
【００１２】
本発明の請求項１記載のレンジフードは、レンジフードにおいて、フードの室内側の表面に照度検知手段を設け、室内の明るさに連動して換気風量を制御する、という構成を有する。これにより、照度検知手段により、室内の明るさを検知し、室内が暗くなったことを検知したときは、常時換気風量を通常より下げ、室内が明るくなったときは、常時換気風量を通常の風量へ戻す、こととなるので、２４時間換気運転してもエネルギーロスを低減することができる、という効果を奏する。
【００１３】
また、レンジフードにおいて、照明部を設けたフードに照度検知手段を設け、室内の明るさに連動して照明部の照度を制御する、という構成にしてもよい。これにより、照度検知手段により、室内の明るさを検知し、室内が暗くなったことを検知したときは照明部の光度を下げ、室内が明るくなったときは、照明部の光度を通常状態に戻す、こととなるので、２４時間換気運転してもエネルギーロスを低減することができる、という効果を奏する。
【００１４】
以下、本発明の実施の形態について図面を参照しながら説明する。
【００１５】
（実施の形態１）
図１に示すように、室内１７において、ガスやＩＨ等の調理器１６に、方形状のフード１を設ける。そして、フード１の上方には、内通した通風路６で構成した箱状のファンボックス１０を取り付ける。ファンボックス１０の上方には、空気を排出する開口を有したアダプター１２を取り付ける。アダプター１２には、室内１７以外に接続される排気ダクト１１を設けている。ファンケーシング２の内部には、遠心ファン３を有する遠心送風機４を設ける。そして、通風路６は、ファンケーシング２の吸込口７外側の下方へ向って吸い込まれた空気の空気抵抗が小さくなるように滑らかな形状で構成されている。
【００１６】
そして、グリスフィルター９は、通風路６を覆うようにフード１の内部に、吸込口７を覆うように取り付ける。
【００１７】
そして、フード１には、調理器１６等を照らす照度検知手段１３を設ける。そして、室内１７の天井１８に設けているＬＥＤ等の照明１４の照度を検出し、モーター５および照明部１５の作動を制御する制御部（図示せず）へと接続されている。
【００１８】
上記の構成により、図１に示すように、２４時間換気をしている場合に、室内１７の照明１４から発せられる光もしくは室内１７の窓など（図示せず）から入り込む光を照度検知手段１３で検知する。室内１７が暗くなったときには、調理器１６で人が調理されていないと判断し、モーター５の出力を弱めて遠心ファン３から発生する風量を下げることで無駄な排気風量を少なくする。従って、モーター５の消費電力を下げ、エネルギーロスを削減することができる。
【００１９】
また、室内１７が明るくなった場合には、モーター５の出力を通常状態へ復帰させ、遠心ファン３から発生する風量を通常風量へ戻し、必要な排気風量を満足する状態へ自動で復帰することができる。
【００２０】
また、室内１７の照明１４から発せられる光もしくは室内１７の窓（図示せず）から入り込む光を照度検知手段１３で検知し、室内１７が暗くなったときには、フード１の前方下面に設けた照明部１５の照度の出力を下げ、調理器１６を照らす照度を下げる。
【００２１】
これにより、無駄な照明１４からの照度を下げることで、照明部１５の消費電力を下げ、エネルギーロスを削減することができる。また、室内１７が明るくなった場合には、照明部１５の出力を通常状態へ復帰させ、照明部１５から発する照度を通常状態へもどすことで調理器１６を照らす必要な照度を確保することができる。
【産業上の利用可能性】
【００２２】
本発明にかかるレンジフードは、２４時間換気運転してもエネルギーロスを低減することができることを可能とするものであるので、常時換気機能を備えた換気設備として有用である。
【符号の説明】
【００２３】
１    フード
２    ファンケーシング
３    遠心ファン
４    遠心送風機
５    モーター
６    通風路
７    吸込口
８    表面
９    グリスフィルター
１０    ファンボックス
１１    排気ダクト
１２    アダプター
１３    照度検知手段
１４    照明
１５    照明部
１６    調理器
１７    室内
１８    天井
【図１】
2017180851.tif 000003
【図２】
2017180851.tif 000004